(57)【特許請求の範囲】
【請求項１】
キャップの針体で穿孔される閉鎖膜を有する口部と、粘度が１００〜１００００ｍＰａ・ｓの内容物が充填される筒状の胴部とを備えた閉鎖膜付きチューブ容器において、
前記針体の閉鎖膜を穿孔するべき部位の径が２ｍｍ以下であり、
前記胴部がアルミニウム層を有しており、
前記針体によって穿孔される閉鎖膜の孔の直径が２ｍｍ以下であり、
前記口部の上方に、閉鎖膜の上面を覆うように口上部が設けられており、
その口上部が、前記閉鎖膜に穿孔される孔を囲うように半径方向の内向きに延びる部位と、その内向きに延びる部位の先端から上方に延びる部位とからなり、
その口上部の内部である吐出口の下端に前記閉鎖膜が設けられており、
前記吐出口の径が閉鎖膜に穿孔された孔より大きく、その閉鎖膜の穿孔されていない部位の上面および吐出口の内面により吐出口内に液溜まり部が形成されており、
その液溜まり部の直径が２ｍｍ以上で、長さが４ｍｍ以上であり、
前記液溜り部に前記口部から押し出された前記内容物が溜まることにより、胴部の復元力によりチューブ容器内に流入するエアーの量を減少させることを特徴とする、閉鎖膜付きチューブ容器。
【請求項２】
前記胴部のアルミニウム層の肉厚が５０μｍ以下にされている、あるいは、そのアルミニウム層に代えてガスバリア性樹脂層が設けられていることを特徴とする、請求項１記載の閉鎖膜付きチューブ容器。
【請求項３】
前記液溜り部の直径が２〜３ｍｍで、長さが４〜１０ｍｍであることを特徴とする、請求項１又は２記載の閉鎖膜付きチューブ容器。
【請求項４】
請求項１、２あるいは３のいずれかに記載の閉鎖膜付きチューブ容器と、そのチューブ容器に充填される内容物とからなるチューブ。
【請求項５】
前記内容物が薬効成分を含むものである請求項４記載のチューブ。
【請求項６】
前記内容物の薬効成分が抗ヒスタミン剤、抗炎症剤、鎮痒剤、抗真菌剤、角質軟化剤、収斂・皮膚保護剤、局所麻酔剤及び保湿剤からなる群より選ばれる１種以上である請求項５記載のチューブ。
【発明の詳細な説明】
【技術分野】
【０００１】
本発明は、閉鎖膜付きチューブ容器に関し、さらに詳しくはチューブ容器のエアーバックを少なくした閉鎖膜付きチューブ容器およびその容器に内容物が充填されたチューブに関する。
【背景技術】
【０００２】
【特許文献１】特開平９−２０２３３８号
【０００３】
従来、クリーム、軟膏等の薬剤等の内容物を充填する一般的なチューブ容器として、図８に示すような合成樹脂あるいはラミネート材からなるチューブ容器５０がある。このチューブ容器５０は、内容物５１を押し出した後、直ちにチューブ容器５０の復元力により、エアー５２がチューブ容器５０内に流入（エアーバック）するため、エアーバックしたエアー５２と内容物５１が混合し、内容物が劣化するという問題があった。
【０００４】
そこで、図９に示すような逆流防止弁付きチューブ容器がある。図中の符号１００は容器本体であり、この容器本体１００の口部１０１には、逆流防止弁１０２が嵌合されている。そして、この逆流防止弁１０２の球体収納部１０３内には、球体１０６が内装され、球体１０６は、上部の玉止部１０９と、下部１０４に形成された突起部１０８の間を、上下動自在に動く。この容器本体１００の口部１０１には、キャップ１０７が螺合されることにより、容器本体１００の口部１０１の開口が閉鎖されている。
【０００５】
図１０に示す逆流防止弁２０２は、同様に容器本体２００の口部２０１内に、筒部２０３が嵌合されている。この筒部２０３の下方には、半径方向中心に向かって突出する底部２０４と、この底部２０４と幅の狭い連結部によって一体的に連結されている舌状弁体２０６が形成されている。そして、これらの容器本体１００、２００の口部１０１、２０１には、通常のキャップ１０７、２０７が螺合されている。
【０００６】
これらの逆流防止弁が嵌合されたチューブ容器１００、２００内に、内容物が充填された後、チューブ容器１００、２００の胴部を押圧すると、球体１０６又は舌片状弁２０６を押し上げて、内容物が外部に吐出される。チューブ容器１００、２００の胴部の押圧を止めると、チューブ容器１００、２００の胴部の復元力により、球体収納部１０３又は筒部２０３内に残留する内容物は、チューブ容器１００、２００内に引き戻されると同時に、外気を吸い込もうとするが、球体１０６又は舌片状弁２０６が、弁孔１０５、２０５を塞ぐことにより、一旦球体１０６又は舌片状弁２０６より上に注出した内容物が、容器本体１００、２００内へ逆流するのが防止されると共に、容器本体内１００、２００内へのエアーバックが防止される。このような逆流防止弁２００の文献としては特許文献１がある。
【発明の開示】
【発明が解決しようとする課題】
【０００７】
しかしながら、従来の閉鎖膜付きチューブ容器にあっては、以下に示す問題があった。
（１）消費者がチューブ容器内の内容物を使用するまでは、エアーに触れないように流通、陳列等の販売段階に置かれるが、閉鎖膜を破り、開封後に内容物を押し出して使用した後は、胴部が弾力的に復元しやすく、また針体で形成した穴径が２．０〜８．０ｍｍと大きいため、エアーがチューブ容器内にエアーバックし、内容物と混合しやすい。そのため、短期間に内容物が劣化する。
（２）逆流防止弁を口部に設けたものは、エアーバックを抑制できるが、製造コストが高くなると共に口部の構造が複雑になる。
【０００８】
本発明は、このような課題に着目してなされたものであり、逆流防止弁を用いることなく、内容物の押出した後、直ちにチューブ容器内にエアーバックするエアーを著しく少なくした、構造が簡単で、製造コストが安価である、開封後の内容物の保存性に優れた閉鎖膜付きチューブ容器およびその容器に内容物が充填されたチューブを提供することを目的とするものである。
【課題を解決するための手段】
【０００９】
この課題を解決するため、請求項１記載の発明の解決手段は、キャップの針体で穿孔される閉鎖膜を有する口部と、粘度が１００〜１００００ｍＰａ・ｓの内容物が充填される筒状の胴部とを備えた閉鎖膜付きチューブ容器において、前記針体の閉鎖膜を穿孔するべき部位の径が２ｍｍ以下であり、前記胴部がアルミニウム層を有しており、前記針体によって穿孔される閉鎖膜の孔の直径が２ｍｍ以下であり、前記口部の上方に、閉鎖膜の上面を覆うように口上部が設けられており、その口上部が、前記閉鎖膜に穿孔される孔を囲うように半径方向の内向きに延びる部位と、その内向きに延びる部位の先端から上方に延びる部位とからなり、その口上部の内部である吐出口の下端に前記閉鎖膜が設けられており、前記吐出口の径が閉鎖膜に穿孔された孔より大きく、その閉鎖膜の穿孔されていない部位の上面および吐出口の内面により吐出口内に液溜まり部が形成されており、その液溜まり部の直径が２ｍｍ以上で、長さが４ｍｍ以上であり、前記液溜り部に前記口部から押し出された前記内容物が溜まることにより、胴部の復元力によりチューブ容器内に流入するエアーの量を減少させることを特徴とする、閉鎖膜付きチューブ容器である。
【００１０】
請求項２記載の発明の解決手段は、前記胴部のアルミニウム層の肉厚が５０μｍ以下にされている、あるいは、そのアルミニウム層に代えてガスバリア性樹脂層が設けられていることを特徴とする、閉鎖膜付きチューブ容器である。
【００１１】
請求項３記載の発明の解決手段は、前記液溜り部の直径が２〜３ｍｍで、長さが４〜１０ｍｍであることを特徴とする閉鎖膜付きチューブ容器である。
【００１３】
請求項４の発明の解決手段は、前述の閉鎖膜付きチューブ容器と、そのチューブ容器に充填される内容物とからなるチューブである。
【００１４】
請求項５の発明の解決手段は、前記内容物が薬効成分を含むものであるチューブである。
【００１５】
請求項６の発明の解決手段は、前記内容物の薬効成分が抗ヒスタミン剤、抗炎症剤、鎮痒剤、抗真菌剤、角質軟化剤、収斂・皮膚保護剤、局所麻酔剤及び保湿剤からなる群より選ばれる１種以上であるチューブである。
【発明の効果】
【００１６】
本発明によれば、閉鎖膜に針体によって形成された孔が吐出口よりかなり小さいため、内容物を押出した後、吐出口内に残る内容物がチューブ容器内に戻りにくい。そのため、チューブ容器内にエアーバックするエアーの量を著しく減少することができ、内容物の保存性に優れる効果を有する。又、逆流防止弁を用いなくてもよいので、構造が簡単で、製造コストが安価である効果を有する。
【発明を実施するための最良の形態】
【００１７】
つぎに本発明の実施の形態を、図面に基づいて説明する。図１は本発明の第１の実施の形態を示す要部正面断面図、図２は図１のＸ部拡大断面図、図３は本発明の第２の実施の形態を示す胴部層構造の拡大断面図、図４は本発明の第３の実施の形態を示す胴部層構造を示す拡大断面図、図５は本発明の第４の実施の形態を示す要部正面断面図、図６は本発明の第５の実施の形態を示す要部正面断面図、図７は図６のＹ部拡大断面図である。
【００１８】
図１に本発明の第１の実施の形態の閉鎖膜付きチューブ容器（あるいは内容物が充填されたチューブ）を示す。図中の符号１はチューブ容器である。そのチューブ容器１は先端部に円筒状の口部２を有している。その口部２の上部には、口上部３が設けられており、その口上部３の内部には、内容物を一時的に溜めるための液溜まりを兼ねる吐出口４が形成されている。その吐出口４の下端は閉鎖膜５によって塞がれている。前記口部２の下方には、円錐台状のショルダー部６、７が設けられ、そのショルダー部６、７の下端から下に円筒状の胴部８が延びている。
【００１９】
前記閉鎖膜５は、アルミニウム箔又はガスバリア性の樹脂等で構成され、口部２の上端の開口を閉じると共に、口部２およびショルダー部６、７の範囲では、その表面又は裏面に単層又は多層の樹脂層が積層されている。すなわち、その範囲では、閉鎖膜５は内面側の内ショルダー６と外面側のチューブショルダー７によって挟着された形態となっている。チューブショルダー７の樹脂層は、閉鎖膜５の上面を覆い、口上部３を構成している。
【００２０】
前記閉鎖膜付チューブ容器に充填される内容物としては、例えば、液剤、軟膏剤、クリーム剤、ゲルクリーム剤やゲル剤等が挙げられる。液剤、クリーム剤、ゲルクリーム剤及びゲル剤は、通常、アルコール、ゲル化剤、油分、水、及び界面活性剤等を含有する。
【００２１】
アルコールは、好ましくは低級アルコール、より好ましくは炭素数１〜３のアルコールが挙げられる。炭素数１〜３のアルコールとしては、例えば、メタノール、エタノール、イソプロパノール、ｎ−プロパノール等が挙げられる。ゲル化剤は、例えば、カルボキシビニルポリマー等のアクリル酸系高分子、ヒドロキシプロピルメチルセルロース、エチルセルロース等のセルロース系高分子やポリビニルアルコール等が挙げられる。油分は、例えば、スクワラン、流動パラフィン等の炭化水素類や、ミリスチン酸イソプロピル、アジピン酸ジイソプロピル及びミリスチン酸オクチルドデシル等のエステル類等が挙げられる。
【００２２】
界面活性剤としては、陽イオン性界面活性剤、陰イオン性界面活性剤、両性界面活性剤、非イオン性界面活性剤が挙げられ、好ましくは非イオン性界面活性剤である。非イオン性界面活性剤の具体例としては、プロピレングリコールモノ脂肪酸エステル、エチレングリコールモノ脂肪酸エステル、グリセリンモノ脂肪酸エステル、ポリグリセリン脂肪酸エステル、ソルビタン脂肪酸エステル、ショ糖脂肪酸エステル、メチルグルコシド脂肪酸エステル、アルキルポリグルコシド等の多価アルコール脂肪酸エステル又は多価アルコールアルキルエーテル；ポリオキシエチレンアルキルエーテル、ポリオキシエチレンアルキルフェニルエーテル、ポリオキシエチレンフィトステロール、ポリオキシエチレンフィトスタノール、ポリオキシエチレンコレステロール、ポリオキシエチレンコレスタノール、ポリオキシエチレンポリオキシプロピレンアルキルエーテル等のポリオキシエチレンエーテル；ポリオキシエチレンモノ脂肪酸エステル、ポリエチレングリコールジ脂肪酸エステル、ポリオキシエチレングリセリン脂肪酸エステル、ポリオキシエチレンソルビタン脂肪酸エステル、ポリオキシエチレンソルビトール脂肪酸エステル、ポリオキシエチレンメチルグルコシド脂肪酸エステル、ポリオキシエチレンヒマシ油・硬化ヒマシ油、ポリオキシエチレン植物油、ポリオキシエチレンアルキルエーテル脂肪酸エステル、ポリオキシエチレンポリオキシプロピレングリコール等のエーテルエステル等が挙げられ、特にグリセリン脂肪酸エステル、ソルビタン脂肪酸エステル、ポリオキシエチレンソルビタン脂肪酸エステルが好ましい。非イオン性界面活性剤のＨＬＢは２〜１８が好ましく、特に３〜１７が好ましい。例えば、グリセリン脂肪酸エステルのＨＬＢが３〜１０が好ましく、特に４〜８が好ましい。ソルビタン脂肪酸エステルのＨＬＢが２〜１０が好ましく、特に３〜６が好ましい。ポリオキシエチレンソルビタン脂肪酸エステルのＨＬＢが９〜１８が好ましく、特に１４〜１７が好ましい。
【００２３】
液剤における、アルコールの含有量は、全量に対して通常２５〜６０質量％、好ましくは３０〜５５質量％である。ゲル化剤の含有量は、全量に対して通常０〜５質量％、より好ましくは０．０５〜５質量％である。油分の含有量は、全量に対して通常０〜１０質量％、より好ましくは１〜８質量％である。界面活性剤の含有量は、全量に対して通常0〜１０質量％、より好ましくは０〜５質量％である。水の含有量は、全量に対して通常２０〜６０質量％、より好ましくは３０〜５０質量％である。
【００２４】
クリーム剤における、アルコールの含有量は、全量に対して通常０〜２５質量％、好ましくは０〜１０質量％である。ゲル化剤の含有量は、全量に対して通常０〜５質量％、より好ましくは０．０５〜２質量％である。油分の含有量は、全量に対して通常５〜３０質量％、より好ましくは７〜３０質量％である。界面活性剤の含有量は、全量に対して通常０．０１〜１０質量％、より好ましくは０．０５〜５質量％である。水の含有量は、全量に対して通常２０〜９０質量％、より好ましくは４０〜８０質量％である。
【００２５】
ゲルクリーム剤における、アルコールの含有量は、全量に対して通常２５〜６０質量％、好ましくは３０〜５０質量％、特に好ましくは３０〜４０質量％である。ゲル化剤の含有量は、全量に対して通常０．０１〜５質量％、より好ましくは０．０５〜５質量％、特に好ましくは０．５〜２．５質量％である。油分の含有量は、全量に対して通常５〜３０質量％、より好ましくは７〜３０質量％、特に好ましくは７〜２０質量％である。界面活性剤の含有量は、全量に対して通常０．０１〜１０質量％、より好ましくは０．０５〜５質量％、特に好ましくは０．１〜５質量％である。水の含有量は、全量に対して通常２０〜６０質量％、より好ましくは３０〜５０質量％、特に好ましくは４０〜５０質量％である。
【００２６】
ゲル剤における、アルコールの含有量は、全量に対して通常２５〜６０質量％、より好ましくは３０〜５０質量％である。ゲル化剤の含有量は、全量に対して通常０．０１〜５質量％、好ましくは０．０５〜５質量％である。油分の含有量は、全量に対して通常０〜１０質量％、より好ましくは１〜８質量％である。界面活性剤の含有量は、全量に対して通常0〜１０質量％、より好ましくは０〜５質量％である。水の含有量は、全量に対して通常２０〜６０質量％、より好ましくは３０〜５０質量％である。
【００２７】
前記チューブ容器に充填される内容物には、薬効成分や各種任意成分（例えば、pH調節剤、保存剤、安定化剤及び湿潤剤等）を所望に応じて含有させることが可能である。
薬効成分としては特に限定されるものではなく、例えば、抗ヒスタミン剤、抗炎症剤、鎮痒剤、抗真菌剤、角質軟化剤、収斂・皮膚保護剤、局所麻酔剤、保湿剤等が挙げられ、これら薬効成分は単独で用いてもよいし、２種以上を組み合わせてもよい。
抗ヒスタミン剤としては、例えば、ジフェンヒドラミン、塩酸ジフェンヒドラミン、ラウリル硫酸ジフェンヒドラミン、マレイン酸クロルフェニラミン、塩酸イソチペジル等が挙げられる。
【００２８】
抗炎症剤としては、例えば、酢酸ヒドロコルチゾン、酢酸プロピオン酸ヒドロコルチゾン、プレドニゾロン、メチルプレドニゾロン、酢酸メチルプレドニゾロン、吉草酸酢酸プレドニゾロン、ジフルプレドナート、吉草酸酢酸ジフルコルトロン、フルオシノロンアセトニド、フルドキシコルチド、フルオシノニド、ハルシノニド、アムシノニド、ピバル酸フルメタゾン、トリアムシノロンアセトニド、デキサメタゾン、酢酸デキサメタゾン、吉草酸デキサメタゾン、プロピオン酸デキサメタゾン、ジプロピオン酸ベタメタゾン、プロピオン酸ベクロメタゾン、酪酸クロベタゾン、プロピオン酸クロベタゾール、酢酸ジフロラゾン、酪酸プロピオン酸ベタメタゾン、ブフェキサマック、ベンダザック、フルフェナム酸ブチル等のステロイド系抗炎症剤、テノキシカム、インドメタシン、ジクロフェナクナトリウム、フルフェナム酸、ブフェキサマック、ザルトプロフェン、ナプロキセン、イブプロフェン、フルルビプロフェン、ケトチフェン、フルルビプロフェンアキセチル、フェンブフェン、ロキソプロフェンナトリウム、フェルビナク、メフェナム酸、ピロキシカム、アンピロキシカム等の非ステロイド系抗炎症剤が挙げられる。
【００２９】
鎮痒剤としては、例えば、クロタミトン、サリチル酸メチル等が挙げられる。
抗真菌剤としては、例えば、硝酸ミコナゾール、ビフォナゾール、塩酸クロコナゾール、クロトリマゾール、硝酸エコナゾール、硝酸イソコナゾール、硝酸オキシコナゾール、硝酸スルコナゾール、ケトコナゾール、塩酸ネチコナゾール、ナイスタチン、ピマリシン、シッカニン、トリコマイシン、バリオチン、トルシクラート、トルナフテート、塩酸ブテナフィン、テルビナフィン、複合ウンデシレン酸、シクロピロクスオラミン、エキサラミド、ハロプロジン、フェニルヨードウンデシレン酸等が挙げられる。
角質軟化剤としては、例えば、サリチル酸、尿素等が挙げられる。
収斂・皮膚保護剤としては、例えば、グアイアズレン、ポビドンヨード、ヘパリン類似物質等が挙げられる。
【００３０】
局所麻酔剤としては、例えば、アミノ安息香酸エステル、塩酸オキシブプロカイン、塩酸ジブカイン、塩酸テトラカイン、塩酸パラブチルアミノ安息香酸ジエチルアミノエチル、塩酸ブピバカイン、塩酸プロカイン、塩酸メビバカイン、塩酸ロピバカイン水和物、オキセサゼイン、ピペリジノアセチルアミノ安息香酸エチル、リドカイン、塩酸リドカイン等が挙げられる。
保湿剤としては、例えば、尿素、ヘパリン類似物質、ピロリドンカルボン酸、コラーゲン、γ−オリザノール、γ−リノレイン酸、リノール酸、ビタミンＥ、ビタミンＤ、ビタミンＡ、スクワレン、スクワラン、グリセリン、ポリエチレングリコール、コレステロール、トリグリセリド、セラミド等が挙げられる。
【００３１】
pH調節剤としては、クエン酸、リン酸、酒石酸、乳酸等の有機酸、塩酸等の無機酸、水酸化ナトリウム等の水酸化アルカリ金属、トリエタノールアミン、ジエタノールアミン、ジイソプロパノールアミン等のアミン類等が挙げられる。
保存剤としては、バラオキシ安息香酸エステル類、塩化ベンザルコニウム等が挙げられる。
安定化剤としては、ジブチルヒドロキシトルエン、ブチルヒドロキシアニソール、エデト酸塩等が挙げられる。
また、湿潤剤としては、グリセリン、エチレングリコール、プロピレングリコール、オレイルアルコール、１，３−ブチレングリコール、イソプロピレングリコール、ポリエチレングリコール等の多価アルコールが挙げられる。
なお、液剤、軟膏剤、クリーム剤、クリームゲル剤やゲル剤等の前記チューブ容器に充填される内容物は、公知の方法（例えば、第十五改正日本薬局方  製剤総則等）にしたがって、製造することができる。
【００３２】
図１の第１実施の形態のチューブ容器１の胴部８は、チューブショルダー７の下端部の上面に、原反を丸めて巻き付けて溶着されることにより造られる。胴部８を構成する原反は、図２に示すように、内部にアルミニウム箔１１からなる中間層（ガスバリア層）を有し、両面を樹脂層１２で挟着して構成されるラミネートの原反である。アルミニウム箔１１の両側の樹脂層１２としては、例えば、低密度ポリエチレン樹脂、直鎖状低密度ポリエチレン樹脂、高密度ポリエチレン樹脂等のポリエチレン樹脂、エチレンメタクリ酸コポリマー樹脂、複合ナイロン樹脂又はポリエチレンテレフタレート樹脂等から選ばれて構成される多層の樹脂層１２が適するが、ポリエチレン樹脂の単層であってもよい。
【００３３】
この胴部８のアルミニウム箔１１の肉厚（図２に示す寸法ｔ）を５０μｍ以下、好ましくは１０〜３５μｍにすることにより、胴部８が軟らかくなり、胴部８の復元力を低減させることができるので、エアバックを減少できる。なお、１０μｍ未満では、強度が不充分である。又これと併せて、図５に示すように、キャップ９の針体１０の直径及び穿孔される閉鎖膜５の孔５ａの直径（寸法ａ）を２ｍｍ以下、好ましくは０．８〜１．５ｍｍにすると、内容物を押出した直後に、チューブ容器１内にエアーが入り難いので、エアーバックを減少することができる。１．５ｍｍ以下にすると、一層エアーが入りにくくなる。０．８ｍｍ未満では、内容物を押し出しにくくなる。また、吐出口４の内径と閉鎖膜５の孔の径の差は０．３〜８．０ｍｍ程度が好ましい。図１の第１の実施形態では、針体１０の先端が円錐状で、先端近辺の径は根本部の径より細い。
【００３４】
従来は、チューブ容器１の内容物を押し出した後、直ちにチューブ容器１内にエアーが多量に流入したが、胴部８のアルミニウム箔１１の肉厚を薄く、かつ閉鎖膜５の穿孔される孔５ａの直径（寸法ａ）を小さく限定することで、全体として、スクイズ（押し出し）直後のエアーバック量を減少させることができた。
【００３５】
図３は、本発明の第２の実施の形態を示すもので、この実施の形態では、第１の実施の形態における胴部のアルミニウム層に代えて、ガスバリア性樹脂層であるポリエチレンテレフタレート樹脂層２１を中間層（ガスバリア層）として採用する。なお、ガスバリア性樹脂層としては、ポリ塩化ビニリデン樹脂、ポリビニルアルコール樹脂、エチレンビニルアルコール共重合樹脂を用いることもできる。また、ポリエチレンテレフタレート樹脂層２１の両側の樹脂層２２の層構成については、第１の実施の形態と同様である。本実施の形態においては、胴部１８のポリエチレンテレフタレート層２１の肉厚を、第１の実施の形態と同様に、５０μｍ以下、好ましくは９〜１２μｍにすると共に、閉鎖膜５の孔５ａの径を２ｍｍ以下、好ましくは０．８〜１．５ｍｍにすることにより、胴部１８の復元力を低減すると共に、チューブ容器１内に流入するエアーの量を減少することができ、内容物を押し出した直後のエアーバック量を著しく減少させることができた。
【００３６】
図４は、本発明の第３の実施の形態を示すもので、第１の実施の形態における胴部のアルミニウム層に代えて、ガスバリア性樹脂層であるナイロン樹脂層３１を採用する。ナイロン樹脂層３１の両側の樹脂層３２の層構成については、第１の実施の形態と同様である。本実施の形態においては、第２の実施の形態と同様に、胴部２８のナイロン樹脂層３１の肉厚を５０μｍ以下、好ましくは１０〜２５μｍにすると共に、閉鎖膜５の孔５ａの直径（寸法ａ）を２ｍｍ以下、好ましくは０．８〜１．５ｍｍにすることにより、胴部２８の復元力を低減すると共に、チューブ容器１内に流入するエアーの量を減少することができ、内容物を押し出した直後のエアーバック量を著しく減少させることができた。
【００３７】
図５は、本発明の第４の実施形態を示すもので、チューブ容器１の閉鎖膜５の口上部３に形成された吐出口４の内径（寸法ｂ）を針体で穿孔される閉鎖膜５の孔５ａの径より大きくすることにより、吐出口４を液溜まりとして機能させている。吐出口の内径は２ｍｍ以上、好ましくは２〜３ｍｍとし、長さＣを４ｍｍ以上、好ましくは４〜１０ｍｍとしている。又チューブ容器１に充填される内容物の粘度を、１００〜１００００ｍＰａ・ｓ（Ｂ型粘度計、ロータＮｏ．４、回転数６０ｒｐｍ、２５℃）にすることで、内容物を押し出した直後のエアーバックを著しく減少させることができる。そして、（１）胴部のアルミニウム層又はガスバリア性樹脂層の肉厚を５０μｍ以下とし、（２）穿孔される閉鎖膜の孔の直径を２ｍｍ以下にし、（３）口上部の液溜まり部の直径（寸法ｂ）を２ｍｍ以上に形成し、かつ液溜まり部４の寸法Ｃを４ｍｍ以上にし、（４）チューブ容器１内に充填される内容物の粘度を、１００〜１００００ｍＰａ・ｓの内容物とする場合において、内容物が液溜まり部４に経時的に長く溜まり、内容物が直ちにチューブ容器１内に戻らない。したがって、エアーが直ちにチューブ容器１内にエアーバックするのを一層顕著に防止できる。すなわち、本発明の第１〜３の実施の形態３と、本実施の形態とを組み合わせた発明が、最も効果的にエアーバックを防止できた。
【００３８】
図６は、第５の実施の形態を示すもので、チューブショルダー３７の直下付近、すなわち胴部３８の上端位置に、肉厚の薄い、薄肉部３９が形成され、その下方に厚肉部４０が形成されている。図７に示すように、薄肉部３９は、外周壁又は内周壁のいずれかに段差（寸法Ｓ）を設けて形成されればよい。第５の実施形態によれば、チューブショルダー３７の直下付近の胴部３８を、チューブショルダー３７内に容易に折り畳むことが可能になり、胴部３８及びチューブショルダー３７近傍の内容物を完全に絞り出すことが可能となる。この実施例５においても、上記第１の実施形態から第４の実施形態４までを組み合わせた場合、効果的にエアーバックを防止できることができる。
【産業上の利用可能性】
【００３９】
本発明は、開封前において、閉鎖膜により、外部からのエアーの進入を完全に防止できるだけでなく、開封直後においても、エアーバックを防止することができるので、流通、販売過程のみならず、使用後もエアーバックによる内容物の劣化を、極力防止することができる。したがって、本発明に係るチューブ容器は、医薬品、食品等を充填するのに広く適し、多岐にわたって利用することができる。
【図面の簡単な説明】
【００４０】
【図１】図１は本発明の第１の実施の形態を示す要部正面断面図である。
【図２】図２は図１のＸ部拡大断面図である。
【図３】図３は本発明の第２の実施の形態を示す胴部層構造の拡大断面図である。
【図４】図４は本発明の第３の実施の形態を示す胴部層構造を示す拡大断面図である。
【図５】図５は本発明の第４の実施の形態を示す要部正面断面図である。
【図６】図６は本発明の第５の実施の形態を示す要部正面断面図である。
【図７】図７は図６のＹ部拡大断面図である。
【図８】エアーバックする状態を示す、従来のチューブ容器を示す正面図である。
【図９】従来の逆流防止弁付きチューブ容器を示す断面図である。
【図１０】従来の逆流防止弁付きチューブ容器を示す断面図である。
【符号の説明】
【００４１】
１  チューブ容器
３  口上部
４  吐出口（液溜まり部）
５  閉鎖膜
５ａ  孔
８、１８、２８、３８  胴部
９  キャップ
１０  針体
１１  アルミニウム層
１５  内容物
２１  ガスバリア性樹脂層（ポリエチレンテレフタレート）
３１  ガスバリア性樹脂層（ナイロン）
【図１】
0005525135.tif 000002
【図２】
0005525135.tif 000003
【図３】
0005525135.tif 000004
【図４】
0005525135.tif 000005
【図５】
0005525135.tif 000006
【図６】
0005525135.tif 000007
【図７】
0005525135.tif 000008
【図８】
0005525135.tif 000009
【図９】
0005525135.tif 000010
【図１０】
0005525135.tif 000011